(57)【要約】【課題】ガスを含む処理水が流通する流通経路に吸引ポンプを備えた排水処理装置において、吸引ポンプの円滑な運転を可能とするのに有効な技術を提供する。【解決手段】ばっ気・濾過槽２００を備えた排水処理装置１００において、その流通経路のうち吸引ポンプ２４０による吸入作用が及ぶ範囲に分離装置２３０を設ける。この分離装置２３０は、ガスを含む水を気液分離し、気液分離したあとのガスおよび水を貯留可能な構成を有する。これにより、ガスが水と混合された状態で吸引ポンプ２４０によって吸引されるのを極力阻止し、吸引ポンプ２４０の円滑な運転を可能とする。【選択図】      図２
2004283658.tif 000002
【特許請求の範囲】
【請求項１】
ガスを含む処理水が流通する流通経路と、この流通経路において処理水を吸引可能な吸引ポンプとを有する排水処理装置であって、
前記流通経路のうち前記吸引ポンプによる吸入作用が及ぶ範囲に、処理水を気液分離状態で貯留可能な貯留部を設けた構成であることを特徴とする排水処理装置。
【請求項２】
請求項１に記載の排水処理装置であって、
前記貯留部に滞留したガスを排水装置外へ排出可能とするガス排出手段を備えていることを特徴とする排水処理装置。
【請求項３】
請求項１または２に記載の排水処装置であって、
前記貯留部の上流に配置された膜濾過装置と、この膜濾過装置にエアを供給可能なエア供給手段とを備え、
前記吸引ポンプは、前記膜濾過装置によって濾過処理される被処理水に対し吸引力を作用させ、これにより当該被処理水を前記膜濾過装置から前記貯留部へと移送する構成であることを特徴とする排水処理装置。
【発明の詳細な説明】
【０００１】
【発明の属する技術分野】
本発明は、ガスを含む処理水が流通する流通経路に吸引ポンプを備えた排水処理装置の構築技術に関する。
【０００２】
【従来の技術】
従来、例えば一般家庭等から排出される排水や、産業排水等の処理を行う排水処理装置として、膜濾過装置（濾過膜モジュール）を搭載したものが知られている。この種の排水処理装置では、例えば、膜濾過装置の下流に吸引ポンプが設置されており、被処理水は、吸引ポンプによって吸引され膜濾過装置を通過する際に濾過処理（吸引濾過）されるようになっている（例えば、特許文献１参照。）。また、膜濾過装置の下方にエア供給装置が設けられており、例えば吸引ポンプの停止時にこのエア供給装置から供給されるエア流によって濾過汚泥等が除去され、濾過膜モジュールの膜表面が洗浄されるようになっている。このような排水処理装置は、被処理水を吸引濾過によって効率的に濾過処理するのに有効である。
【０００３】
【特許文献１】
特開２０００−２８８５４３号公報
【０００４】
【発明が解決しようとする課題】
ところで、上記従来のように膜濾過装置を搭載した排水処理装置では、エア供給装置から供給されたエアが膜濾過装置と吸引ポンプとの間の配管（ヘッダー管）等に滞留する場合があり、このような場合に吸引ポンプが起動されると、滞留したエアが吸引ポンプに吸い込まれて噛み込み、吸引ポンプの円滑な作動を妨げるおそれがある。
そこで、本発明は上記の点に鑑みてなされたものであり、ガスを含む処理水が流通する流通経路に吸引ポンプを備えた排水処理装置において、吸引ポンプの円滑な運転を可能とするのに有効な技術を提供することを課題とする。
【０００５】
【課題を解決するための手段】
上記課題を達成するため、各請求項記載の発明が構成される。これら各請求項に記載の発明は、一般家庭等から排出される排水や、産業排水等の処理を行うものであって、エア等のガスを含む処理水が流通する流通経路に吸引ポンプを備えた排水処理装置について広く適用される技術である。
【０００６】
（請求項１に記載の発明）
請求項１に記載の排水処理装置では、流通経路に少なくとも吸引ポンプおよび貯留部が設けられている。
流通経路は、エア等のガスを含む処理水（所定の処理がなされる前の被処理水や、所定の処理がなされた後の処理水）が流通ないし滞留可能な経路として規定される。本発明でいう「ガス」とは、ばっ気処理等で供給されたエアや、排水（汚水）を処理する過程で生成する各種のガスを広く含むものである。吸引ポンプは、この流通経路において処理水を吸引可能な構成を有するものであり、処理水を上流領域から下流領域へ移送する場合や、下流領域から上流領域へ循環させる場合などに用いる。本発明でいう「吸引ポンプ」としては、ポンプ本体が槽外に配置される構成のものや、ポンプ本体が水中に配置される構成の水中ポンプなどがある。
【０００７】
本発明では、流通経路に貯留部が設けられている。この貯留部は、処理水を気液分離状態で貯留可能な構成を有する。従って、気液分離された水が貯留部の下部領域に滞留し、気液分離されたガスが貯留部の上部領域に滞留することとなる。なお、この貯留部は、他の気液分離手段によって気液分離状態となったあとの水およびガスを貯留する貯留機能のみを有する構成であってもよいし、あるいはこの貯留機能に加えて処理水を気液分離する気液分離機能をも有する構成であってもよい。例えば、流通経路に、処理水を気液分離して気液分離状態の水およびガスを貯留可能な構成の容器、具体的には縦長状に配置されその流路径が十分に広い容器を設置する。これにより、容器へ流入した処理水中のガスは、容器内を移動する過程でその浮力によって水中を上昇し気液界面を形成することとなる。このような構成の貯留部は、気液分離機能と貯留機能の両機能を有する。
【０００８】
また、この貯留部に吸引ポンプの吸引側（吸入側）が接続されており、貯留部は吸引ポンプによる吸入作用が及ぶ範囲に設けられている。なお、本発明でいう「吸引ポンプによる吸入作用が及ぶ範囲に設けられた貯留部」とは、閉じた系において吸引ポンプの吸引側と貯留部とが互いに接続された態様が典型的な例である。このような構成の貯留部において、気液分離状態が形成された状態で吸引ポンプによる吸引力が作用したとしても、気液分離された水が吸引ポンプの吸引力によって移送されるのみで、多量のガスが水と混合された状態で下流側へ移送され吸引ポンプによって吸引されるのを極力阻止することが可能となる。
【０００９】
例えば、ばっ気処理等によって供給されたエアが処理水中に残存する系では、その下流に吸引ポンプを配置する場合に吸引ポンプにエアが噛み込み、キャビテーション等により吸引ポンプの円滑な作動が妨げられるおそれがある。そこで、本発明の如く、吸引ポンプによる吸引作用が及ぶ範囲に前記構成の貯留部を設けることで、エアが吸引ポンプ側へ移動しにくい構成とすることができ、ガスが水と混合された状態で吸引ポンプによって吸引されるのを極力阻止することができる。
【００１０】
（請求項２に記載の発明）
また、請求項２に記載の排水処理装置は、請求項１に記載の構成において、更にガス排出手段を備えている。このガス排出手段は、貯留部に滞留したガスを系外、典型的には排水処理装置外へ排出可能な構成を有する。例えば、貯留部にガス排出用の配管を接続した構成や、このガス排出用の配管に更に開閉用のバルブやガス吸引用のブロワを設置した構成等を用いることができる。これにより、貯留部に滞留したガスを系外へ排出することができ、ガスが水と混合された状態で吸引ポンプによって吸引されるのをより確実に防止することが可能となる。また、ガス排出手段を介して貯留部からガスを排出する構成とすることで、貯留部の容量を必要限度に抑えることができ、装置のコンパクト化を図ることが可能となる。
【００１１】
（請求項３に記載の発明）
また、請求項３に記載の排水処理装置は、請求項１または２に記載の構成において、更に貯留部の上流に膜濾過装置およびエア供給手段を備えている。
膜濾過装置は、例えば平膜モジュールや、中空状糸膜を用いたキャピラリーモジュール等によって構成することができる。被処理水がこの膜濾過装置を通過することで汚泥等の固形物が濾過処理されることとなる。本発明では、この膜濾過装置を通過する被処理水に対し吸引ポンプの吸引力が作用するようになっている。すなわち、本発明の排水処理装置では、膜濾過装置と吸引ポンプとの協働によって被処理水の吸引濾過がなされる。この吸引濾過によって、被処理水中の汚泥等が濾過され膜濾過装置の膜表面に付着する。また、被処理水は吸引ポンプの吸引力によって膜濾過装置から貯留部へ移送されることとなる。
【００１２】
エア供給手段は、膜濾過装置へエアを供給する構成を有する。このエア供給手段は、例えばエア供給用の配管にブロワの吐出側を接続することで構成される。このエア供給手段によって供給されたエアは、例えば吸引濾過によって膜濾過装置の膜表面に付着した汚泥等の洗浄を行うのに用いることができる。また、このエア供給手段を、ばっ気処理用のエアを供給する手段として兼用することもできる。
膜濾過装置および吸引ポンプを用いて吸引濾過を行う構成において膜濾過装置にエアを供給する場合に、吸引濾過の過程でエアが吸引ポンプによって吸引されて噛み込み、吸引ポンプの円滑な作動を妨げるおそれがあるが、本発明は、このような構成の排水処理装置に特に有効である。
【００１３】
【発明の実施の形態】
以下に、本発明の排水処理装置の一実施の形態を図面を参照しながら説明する。ここで、図１は本実施の形態の排水処理装置１００の構成を示す図である。図２は、図１中のばっ気・濾過槽２００の構成を示す図である。
【００１４】
図１に示すように、排水処理装置１００（浄化槽）は、排水処理工程の順に対応して上流側（図１の左側）から、前処理槽１１０、ばっ気・濾過槽２００、消毒槽１２０、放流ポンプ槽１３０を備えている。これら各槽は、排水処理装置１００を構成する１つの槽状体１０１に内蔵されている。本実施の形態では、排水処理装置１００へ流入した排水（汚水）は、槽状体１０１の内部に形成された流通経路を流通する過程で連続的に種々の処理がなされたのちに放流されるようになっている。
【００１５】
前処理槽１１０では、例えば装置外から流入した排水（汚水）の流量を調整する処理や、排水中に含まれる夾雑物や油分などを分離する処理等が行われる。ばっ気・濾過槽２００では、排水にエア（空気）を付与することにより排水中にエアを溶け込ませ、また槽内に適度な水流（旋回流）を作ることにより排水のばっ気処理が行われる。このばっ気処理により槽内に汚泥等の固形物が生成する。ばっ気処理によって生成した汚泥等は、膜濾過装置２１０によって分離されて排水処理装置１００外（系外）へ排出されるようになっている。一方、膜濾過装置２１０で汚泥が分離・除去されたあとの水は消毒槽１２０へ送られ、消毒槽１２０において消毒剤によって消毒処理される。消毒槽１２０で消毒処理された水は、一旦放流ポンプ槽１３０に貯留されたのち、放流ポンプによって排水処理装置１００外（系外）へ放流される。
【００１６】
ばっ気・濾過槽２００は、図２に示すように、膜濾過装置２１０、エア供給装置２２０、分離装置２３０、吸引ポンプ２４０、制御装置２５０等によって構成されている。
【００１７】
膜濾過装置２１０は、被処理水が流通する流通経路に濾過膜モジュールＭを内蔵した構成になっている。この濾過膜モジュールＭは、例えば平膜を用いた平膜モジュールや、中空状糸膜を用いたキャピラリーモジュール等によって構成される。この濾過膜モジュールＭの膜表面には、ばっ気処理によって生成する汚泥（汚れ）の成分よりもサイズの小さい孔が形成されており、この孔を通過した透過水（汚泥以外の水）は第１移送管２１１を通じて分離装置２３０へ移送されるようになっている。
【００１８】
エア供給装置２２０は、例えば多数のエア供給孔を有するエア供給管２２１にブロワ２２２を接続することによって構成されている。このブロワ２２２が運転されると、エア供給管２２１のエア供給孔を通じて槽内へエアが供給される。例えば、通常運転時にこのブロワ２２２が運転されることで被処理水のばっ気処理が行われる。また、例えば、洗浄運転時にこのブロワ２２２が運転されることで濾過膜モジュールＭにエア流が付与され、濾過処理によって濾過膜モジュールＭの膜表面に付着した汚泥等の除去が行われる。このように、本実施の形態のエア供給装置２２０は、ばっ気処理のためのエア供給機能と、濾過膜モジュールＭの洗浄のためのエア流付与機能の両機能を有する。なお、このエア供給装置２２０等によって本発明におけるエア供給手段が構成されている。
【００１９】
分離装置２３０は気液分離室２３１を備え、この気液分離室２３１に前記の第１移送管２１１、第２移送管２３４、ガス排出管２３５が接続された構成になっている。
【００２０】
気液分離室２３１は、例えば円筒管を縦長状に配置した構成、本実施の形態では、例えば流路径（流路断面に関する径）が十分に広い円筒管を縦長状に配置した構成になっている。この気液分離室２３１は、縦方向（上下方向）の流路を形成する。この気液分離室２３１が、本発明における「吸引ポンプによる吸入作用が及ぶ範囲に設けられた貯留部」に対応している。なお、ここでいう「流路径が十分に広い円筒管」とは、その円筒管の径（流路径）がその前後における流通経路の流路径に比して大きいような態様が典型的な例である。このような構成によれば、気液分離室２３１内の流路の方向が、ガスと水とが分離する方向（気液分離方向）と合致するため気液分離を合理的に行うことが可能となる。また、気液分離室２３１内の流路が上下方向へ延びる構成ゆえ、気液分離に有効な滞留時間を増やすのに効果的である。更には、気液分離室２３１内へ流入した水（流入水）は、その流路径が拡張されることで流速が低減され、しかも気液分離室２３１の出口側で流路径が絞られることにより、気液分離室２３１内は水が滞留し易い（滞留時間が増加された）状態となる。このような状態は、水中に含まれるガス（エアを主体とするガス）を水側から分離するのに有効な状態であり、ガスを含む流入水は水側から効果的に気液分離され、気液分離された水は気液分離室２３１内の下側に水滞留部２３２を形成して滞留する。一方、水中に含まれたガスは、室内を下降する過程で浮力によって水滞留部２３２を上昇し室内の上側にガス滞留部２３３を形成して滞留する。このような構成は、吸引ポンプ２４０におけるキャビテーションの抑制に特に有効である。
なお、この気液分離室２３１の流路長さ、流路径、容積等は、排水の処理条件、気液分離状態等を勘案して適宜設定することができる。
【００２１】
第１移送管２１１は、その出口部が例えば気液分離室２３１の側部に接続されており、膜濾過装置２１０（濾過膜モジュールＭ）を通過した透過水を気液分離室２３１へ導入する経路を形成する。また、この第１移送管２１１は、気液分離室２３１の上端よりも低い位置に配置される構成になっている。これにより、第１移送管２１１にガスが滞留するのを防止することができる。
また、本実施の形態では、この第１移送管２１１は、気液分離室２３１との接続箇所が水平方向に配置されている。すなわち、第１移送管２１１内の流路の方向と、気液分離室２３１内の流路の方向とが交差する配置になっている。これにより、膜濾過装置２１０を通過した透過水は、水平方向の速度成分をもって気液分離室２３１内へ流入したのち、流路の方向が変えられて気液分離室２３１内を上方から下方へと流通することとなる。このとき、流路の方向が変わることで気液分離室２３１内へ流入した水（流入水）の流速が低下する。このような構成によれば、流路方向を変える効果と、流路径を拡張する効果との相乗作用により、吸引ポンプ２４０におけるキャビテーションをより確実に抑制することができる。
第２移送管２３４は、その入口部が例えば気液分離室２３１の底部に接続されており、水滞留部２３２に滞留した水を吸引ポンプ２４０側へ導出する経路を形成する。
【００２２】
ガス排出管２３５は、その入口部が例えば気液分離室２３１の上部に接続されており、ガス滞留部２３３に滞留したガスを排水処理装置１００外（系外）へ排出する経路を形成する。このガス排出管２３５は、上下方向に延在する構成であるのが好ましい。このような構成によれば、ガスの排出方向が、気液分離室２３１内を上下方向へ移動するガスの流れ方向と合致するため、合理的なガスの排出が可能となる。
また、このガス排出管２３５には、その経路を開閉可能な開閉弁２３６が設置されている。この開閉弁２３６は、例えば、ガス滞留部２３３からガスを排出するタイミングで開放される。この開閉弁２３６は、気液分離室２３１の圧力に基づいて開閉される構成であってもよい。なお、これらガス排出管２３５および開閉弁２３６等によって、本発明におけるガス排出手段が構成されている。
【００２３】
吸引ポンプ２４０は、処理水が流通する閉じた流通経路に設置されており、その吸引側（吸入側）が第２移送管２３４に接続されている。また、この吸引ポンプ２４０は、膜濾過装置２１０によって処理される被処理水に対し吸引力を作用させることが可能な吸引能力を有する。吸引ポンプ２４０が運転されると、膜濾過装置２１０から吸引ポンプ２４０へ至る閉じた系に吸引力が作用する。これにより、被処理水が膜濾過装置２１０内を移動して濾過処理が開始され、また、この濾過処理によって膜濾過装置２１０内を通過した水は、第１移送管２１１を通じて気液分離室２３１へ移送される。また、気液分離室２３１の水滞留部２３２に滞留した水は、この吸引ポンプ２４０の吸引力によって吸引され、消毒槽１２０へ向けて吐出される。すなわち、本実施の形態の吸引ポンプ２４０は、膜濾過装置２１０内を通過する被処理水に対し吸引作用を付与する機能と、水滞留部２３２に滞留した水を移送する機能の両機能を有する。
【００２４】
制御装置２５０は、排水処理装置１００を構成する各種の機器の制御を行う構成を有する。ばっ気・濾過槽２００に関する構成では、ブロワ２２２、開閉弁２３６、吸引ポンプ２４０等が制御装置２５０と電気的に接続されており、これら各機器の制御が制御装置２５０によって行われるようになっている。なお、開閉弁２３６は制御装置２５０によって制御されない構成、例えば点検時等に手動で開放されるような構成であってもよい。
【００２５】
次に、上記構成のばっ気・濾過槽２００における処理について説明する。
例えば、通常運転においてブロワ２２２の運転が開始されると、エア供給管２２１のエア供給孔を通じてばっ気・濾過槽２００内へエアが供給され、ばっ気処理が開始される。また、吸引ポンプ２４０の運転が開始されることで、膜濾過装置２１０（濾過膜モジュールＭ）による吸引濾過が開始される。この吸引濾過により濾過膜モジュールＭを通過しない汚泥等は膜表面に付着する。一方、濾過膜モジュールＭを通過した透過水は、エアを主体とするガスを含んだ状態で吸引ポンプ２４０の吸引作用によって吸引され、第１移送管２１１を通じて気液分離室２３１へ移流する。気液分離室２３１では、ガスを含む流入水が気液分離され、気液分離された水が水滞留部２３２を形成し、気液分離されたガスがガス滞留部２３３を形成する。水滞留部２３２に滞留した水は、第２移送管２３４および吸引ポンプ２４０を介して消毒槽１２０へ移送される。
【００２６】
例えば、膜濾過装置２１０の洗浄処理を行うのに適した時期になると洗浄運転を行う。この洗浄運転では、吸引ポンプ２４０の運転を停止する一方、エア供給管２２１から供給されるエアを通常運転時よりも増加させる。例えば、膜濾過装置２１０の洗浄時期を検出することが可能な計器類、例えば差圧計や圧力計を用い、この計器類による検出情報に基づいてエア供給量を調節する構成を用いる。これにより、通常運転から洗浄運転への切り替えを自動で行う構成が可能となる。この洗浄運転では、エア供給管２２１から供給されたエアのエア流が濾過膜モジュールＭに効果的に作用し、膜表面に付着した汚泥等を剥離させることができる。膜表面から剥離したこの汚泥等を含む水は、例えばポンプ等の排出手段（図示省略）によって系外（排水処理装置１００外ないし別の処理系）へ排出される。
【００２７】
以上のように、上記実施の形態によれば、吸引ポンプ２４０による吸引作用が及ぶ範囲に気液分離室２３１を設けることで、ガスが吸引ポンプ２４０側へ移動しにくい構成とすることができ、ガスが水と混合された状態で吸引ポンプ２４０によって吸引されるのを極力阻止することができる。本実施の形態の気液分離室２３１のような構成を具備していない場合は、系内に滞留したガスが吸引ポンプに噛み込み、キャビテーション等により吸引ポンプの円滑な作動が妨げられるおそれがあるが、吸引ポンプ２４０による吸引作用が及ぶ範囲に気液分離室２３１を設けることでこのような問題を解消することが可能となる。
また、本実施の形態では、気液分離室２３１に滞留したガスをガス排出管２３５を通じて排水処理装置１００外へ排出する構成としたため、ガスが水と混合された状態で吸引ポンプ２４０によって吸引されるのをより確実に防止することが可能となる。また、ガス排出管２３５を設けることで、気液分離室２３１の容量を必要限度に抑えることができ、装置のコンパクト化を図ることができる。
【００２８】
〔他の実施の形態〕
なお、本発明は上記の実施の形態のみに限定されるものではなく、種々の応用や変形が考えられる。例えば、上記実施の形態を応用した次の各形態を実施することもできる。
【００２９】
本発明は、少なくともガスを含む処理水の流通経路に吸引ポンプを備えた構成の排水処理装置に適用し得る。上記実施の形態では、膜濾過装置２１０を備えた排水処理装置１００について記載したが、例えばこのような膜濾過装置を具備していない構成の排水処理装置に本発明を適用することができる。
【００３０】
ここで、図３を参照しながら他の実施の形態の排水処理装置３００の構成を説明する。なお、図３中の要素のうち、図２に示す要素と同一の要素には同一の符号を付している。
図３に示す排水処理装置３００は、ばっ気槽３１０と濾過処理槽３２０との間に、分離装置２３０および吸引ポンプ２４０が配置された構成になっている。ばっ気槽３１０では、エア供給装置２２０から供給されたエアによってばっ気処理が行われる。ばっ気処理された水は分離装置２３０へ移流し、気液分離された状態で気液分離室２３１に貯留される。気液分離室２３１に貯留された水は、吸引ポンプ２４０によって吸引されて濾過処理槽３２０へ向けて吐出される。すなわち、この実施の形態での吸引ポンプ２４０は、単に移送用として用いられるものである。濾過処理槽３２０は、濾過用の担体や膜などを用いて構成された濾材３２２を備えており、ばっ気処理によって生成した汚泥等をこの濾材３２２によって濾過処理する構成になっている。このような構成によっても、吸引ポンプ２４０による吸引作用が及ぶ範囲に気液分離室２３１を設けることで、ガスが吸引ポンプ２４０側へ移動するのを防止することが可能となる。
また、エア等のガスが積極的に系内へ供給される構成でなくても、排水の処理過程で各種のガスが生成されるような構成の排水処理装置であれば、本発明を適用することができる。
【００３１】
また、上記実施の形態では、吸引濾過を行うばっ気・濾過槽２００について記載したが、水頭差を用いて濾過処理を行う構成を有する排水処理装置に本発明を適用することができる。この構成において本発明でいう吸引ポンプは、単に移送用として用いる。
【００３２】
また、上記実施の形態では、気液分離室２３１が気液分離機能と貯留機能の両機能を有する場合について記載したが、気液分離機能を切り離した構成を用いてもよい。例えば、気液分離手段を別途設け、この気液分離手段によって気液分離状態となったあとの水およびガスを気液分離室に貯留するように構成することができる。
【００３３】
なお、以上説明してきた実施の形態や種々の変更例の記載に基づいた場合、本発明では以下の構成を採り得る。
すなわち、本発明では、「ガスを含む処理水が流通する流通経路と、この流通経路において処理水に含まれるガスを分離する分離手段と、この分離手段の下流に配置されてガス分離後の水を吸引可能な吸引ポンプとを有する排水処理装置であって、前記流通経路のうち前記吸引ポンプによる吸入作用が及ぶ範囲に、処理水を気液分離状態で貯留可能な貯留部を設けた構成であることを特徴とする排水処理装置。」という構成（第１の態様）が考えられる。このような第１の態様によっても、請求項１に記載の発明と同様に、処理水中のガスが吸引ポンプに吸引されるのを防止することができるという作用効果を奏する。
【００３４】
また、本発明では、「請求項１に記載した排水処理装置であって、貯留部は、その流路径が前後の流路径よりも拡張された構成であることを特徴とする排水処理装置。」という構成（第２の態様）が考えられる。このような第２の態様によれば、貯留室内へ流入した流入水は、その流路径が拡張されることで流速が低減され、しかも一旦拡張された流路径が貯留室の出口側で絞られることにより、貯留室内に流入水が滞留し易い（滞留時間が増加された）状態となる。すなわち、貯留部は流入水の滞留に有効な室を形成する。このような状態は、流入水中に含まれるガスを気液分離によって水側から分離するのに効果的である。
【００３５】
更に、本発明では、「請求項１に記載した排水処理装置であって、貯留部は、上下方向の流路を形成する構成であり、この上下方向と交差する方向から前記貯留部の流路へ流入水が流入するように構成されていることを特徴とする排水処理装置。」という構成（第３の態様）が考えられる。ここでいう「交差」とは、上下方向と水平方向との組み合わせによる直交の態様（交差角度が９０度）が典型的なものであるが、互いに交わる関係であれば交差角度等は種々変更可能である。この交差角度は、流入水の初期流入速度、所望のポンプ効率等に応じて適宜設定することができる。例えば、流れを抑制しにくい交差角度を選択することで、流れの抵抗を減らしてポンプ効率の低下を抑えることが可能となる。このような第３の態様によれば、貯留部内の流路の方向が、ガスと水とが分離する方向（気液分離方向）と合致するため気液分離を合理的に行うことが可能となる。また、貯留室内の流路が上下方向へ延びる構成ゆえ、気液分離に有効な滞留時間を増やすのに効果的である。また、気液分離に際し、流入水の流路方向を変える効果により、吸引ポンプにおけるキャビテーションをより確実に抑制することができる。
【００３６】
また、上記第２の態様および第３の態様を包括的に勘案した場合、「流通経路のうち吸引ポンプによる吸入作用が及ぶ範囲に、ガスを含む処理水の気液分離を促進する気液分離促進手段を備えた構成」が抽出可能である。この「気液分離促進手段」は、前記のように処理水の流路径を拡張する構成、流路の方向を変更する構成、またこれらを組み合わせた構成等によって実現することが可能である。
【００３７】
更に、本発明では、「請求項２に記載した排水処理装置であって、貯留部は、上下方向の流路を形成する構成であり、この上下方向に沿った方向へガス排出手段の排出経路が形成されていることを特徴とする排水処理装置。」という構成（第４の態様）が考えられる。このような第４の態様によれば、ガスの排出方向が、貯留室内を上下方向へ移動するガスの流れ方向と合致するため、合理的なガスの排出が可能となる。
【００３８】
【発明の効果】
以上説明したように、本発明によれば、ガスを含む処理水が流通する流通経路に吸引ポンプを備えた排水処理装置において、処理水中のガスが吸引ポンプに吸引されるのを防止して円滑な運転を行うことができることとなった。
【図面の簡単な説明】
【図１】本実施の形態の排水処理装置１００の構成を示す図である。
【図２】図１中のばっ気・濾過槽２００の構成を示す図である。
【図３】別の実施の形態の排水処理装置３００の構成を示す図である。
【符号の説明】
１００…排水処理装置
２００…ばっ気・濾過槽
２１０…膜濾過装置
２２０…エア供給装置
２２１…エア供給管
２２２…ブロワ
２３０…分離装置
２３１…気液分離室
２３２…水滞留部
２３３…ガス滞留部
２３５…ガス排出管
２３６…開閉弁
２４０…吸引ポンプ
２５０…制御装置
【図１】
2004283658.tif 000003
【図２】
2004283658.tif 000004
【図３】
2004283658.tif 000005